(57)【特許請求の範囲】
【請求項１】
複数の時間間隔中の受信無線周波数信号の周波数スペクトルセグメントの電力プロファイルを判断することと、ここで周波数スペクトルセグメントの電力プロファイルが、前記周波数スペクトルセグメントのエネルギーと、前記周波数スペクトルセグメント中の前記周波数にわたる前記エネルギーの分布とによって特徴づけられる；
各時間間隔について周波数スペクトルセグメントの第１のリストを生成することと、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成することと、前記第２のリストが、しきい値エネルギーよりも大きい総エネルギーまたは平均エネルギーを有する前記各時間間隔中の周波数スペクトルセグメントを識別する；
前記第１および第２のリスト中で識別された複数の前記周波数スペクトルセグメントに基づいて、ワイヤレス通信システムのダウンリンク周波数を判断することと
を備え、
ここで、前記受信無線周波数信号は、アクセスポイントによって送信されたダウンリンク信号と、ユーザ機器によって送信されたアップリンク信号とを含み、時間間隔の数が、前記アップリンク信号なしに、前記ダウンリンク信号を備える少なくとも１つの周波数スペクトルセグメントを与えるように選択される、
ユーザ機器（ＵＥ）におけるワイヤレス通信の方法。
【請求項２】
前記ダウンリンク周波数を判断することが、
前記複数の時間間隔について生成された複数の前記第１のリストを、スペクトルセグメントの発生回数によって順序付けられた１つのマージされた第１のリストにマージすることと、前記複数の時間間隔について生成された複数の前記第２のリストを、スペクトルセグメントの発生回数によって順序付けられた１つのマージされた第２のリストにマージすること、または
あらかじめ定義された数の最も頻繁に発生するスペクトルセグメントに制限された合成リストを取得するために、前記マージされた第１のリストを前記マージされた第２のリストと合成することと、利用可能なアップリンク周波数および利用可能なダウンリンク周波数を求めて前記合成リスト中で識別された複数の前記スペクトルセグメントを探索すること、または
前記判断されたダウンリンク周波数に対応する絶対無線周波数チャネル番号を識別すること、
を含む、請求項１に記載の方法。
【請求項３】
前記ダウンリンク周波数を前記判断することが前記第１のリストをマージすることと前記第２のリストをマージすることとを含むとき、前記マージされた第１のリストおよび前記マージされた第２のリストがスペクトルセグメントエネルギーによってさらに順序付けられ、
前記ダウンリンク周波数を前記判断することが、前記マージされた第１のリストを前記マージされた第２のリストと合成することと前記スペクトルセグメントを探索することとを含むとき、複数のスペクトルセグメントが、それらの発生頻度とリスト優先度とに基づいて、前記マージされた第１のリストおよび前記マージされた第２のリストから前記合成リストに加えられ、前記マージされた第１のリストが、前記マージされた第２のリストよりも高い優先度を有する、
請求項２に記載の方法。
【請求項４】
各時間間隔の持続時間が、前記ワイヤレス通信システムのダウンリンクスロット送信時間に対応する、請求項１に記載の方法。
【請求項５】
前記複数の時間間隔の各々中の前記受信無線周波数信号のスペクトル推定値が、別の複数の時間間隔中の対応する時間間隔中の前記受信無線周波数信号のスペクトル推定値と平均化される、または、前記複数の時間間隔が、
連続する時間間隔を備え、前記複数の時間間隔が、前記ワイヤレス通信システムのフレーム送信時間の１／２にわたる、または、
１０個の時間間隔を備え、前記複数の時間間隔の各々が０．５ミリ秒の持続時間を有し、前記複数の時間間隔が１０ミリ秒ごとに繰り返す、
請求項４に記載の方法。
【請求項６】
前記スペクトル推定値が平均化されるとき、対応する時間間隔からのスペクトル推定値が、パイプラインを使用して平均化される、請求項５に記載の方法。
【請求項７】
前記第１のリスト中で識別される前記周波数スペクトルセグメントがガードバンドによって制限される、または、雑音しきい値が、事前構成されたオフセット値に追加された１つまたは複数のガードバンド周波数のエネルギーに基づいて判断される、または、雑音フロアが、１つまたは複数のガードバンド周波数のエネルギーに基づいて判断され、前記しきい値エネルギーが、事前構成されたオフセット値だけ前記雑音フロアをオフセットすることによって判断される、または、前記しきい値エネルギーが、事前構成されたオフセットと、前記周波数スペクトルセグメント中で識別された最も低いエネルギー周波数の１つまたは複数のエネルギーレベルとの組合せに基づいて判断される、請求項１に記載の方法。
【請求項８】
複数の時間間隔中の受信無線周波数信号の周波数スペクトルセグメントの電力プロファイルを判断するための手段と、ここで周波数スペクトルセグメントの電力プロファイルが、前記周波数スペクトルセグメントのエネルギーと、前記周波数スペクトルセグメント中の前記周波数にわたる前記エネルギーの分布とによって特徴づけられる；
各時間間隔について周波数スペクトルセグメントの第１のリストを生成するための手段と、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成するための手段と、前記第２のリストが、しきい値エネルギーよりも大きい総エネルギーまたは平均エネルギーを有する前記各時間間隔中の周波数スペクトルセグメントを識別する；
前記第１および第２のリスト中で識別された複数の前記周波数スペクトルセグメントに基づいて、ワイヤレス通信システムのダウンリンク周波数を判断するための手段と
を備え、
ここで、前記受信無線周波数信号は、アクセスポイントによって送信されたダウンリンク信号と、ユーザ機器によって送信されたアップリンク信号とを含み、時間間隔の数が、前記アップリンク信号なしに、前記ダウンリンク信号を備える少なくとも１つの周波数スペクトルセグメントを与えるように選択される、
ユーザ機器（ＵＥ）におけるワイヤレス通信のための装置。
【請求項９】
前記ダウンリンク周波数を判断するための前記手段が、
前記複数の時間間隔について生成された前記第１のリストを、スペクトルセグメントの発生回数によって順序付けられたマージされた第１のリストにマージするための手段と、前記複数の時間間隔について生成された前記第２のリストを、スペクトルセグメントの発生回数によって順序付けられたマージされた第２のリストにマージするための手段、
あらかじめ定義された数の最も頻繁に発生するスペクトルセグメントに制限された合成リストを取得するために、前記マージされた第１のリストを前記マージされた第２のリストと合成するための手段と、利用可能なアップリンク周波数および利用可能なダウンリンク周波数を求めて前記合成リスト中で識別された複数の前記スペクトルセグメントを探索するための手段、または
前記判断されたダウンリンク周波数に対応する絶対無線周波数チャネル番号を識別するための手段、
を含む、請求項８に記載の装置。
【請求項１０】
前記ダウンリンク周波数を判断するための前記手段が前記第１のリストをマージし、前記第２のリストをマージするための前記手段を含み、前記マージされた第１のリストおよび前記マージされた第２のリストがスペクトルセグメントエネルギーによってさらに順序付けられ、
前記ダウンリンク周波数を判断するための前記手段が、前記マージされた第１のリストを前記マージされた第２のリストと合成するための前記手段と複数の前記スペクトルセグメントを探索するための前記手段を含むとき、複数のスペクトルセグメントが、それらの発生頻度とリスト優先度とに基づいて、前記マージされた第１のリストおよび前記マージされた第２のリストから前記合成リストに加えられ、前記マージされた第１のリストが、前記マージされた第２のリストよりも高い優先度を有する、
請求項９に記載の装置。
【請求項１１】
各時間間隔の持続時間が、前記ワイヤレス通信システムのダウンリンクスロット送信時間に対応する、請求項８に記載の装置。
【請求項１２】
前記複数の時間間隔の各々中の前記受信無線周波数信号のスペクトル推定値が、別の複数の時間間隔中の対応する時間間隔中の前記受信無線周波数信号のスペクトル推定値と平均化される、または、前記複数の時間間隔が、
連続する時間間隔を備え、前記複数の時間間隔が、前記ワイヤレス通信システムのフレーム送信時間の１／２にわたる、または、
１０個の時間間隔を備え、前記複数の時間間隔の各々が０．５ミリ秒の持続時間を有する、
請求項１１に記載の装置。
【請求項１３】
前記スペクトル推定値が平均化されるとき、対応する時間間隔からのスペクトル推定値が、パイプラインを使用して平均化される、請求項１２に記載の装置。
【請求項１４】
前記第１のリスト中で識別される前記周波数スペクトルセグメントがガードバンドによって制限される、または、雑音しきい値が、事前構成されたオフセット値に追加された１つまたは複数のガードバンド周波数のエネルギーに基づいて判断される、または、雑音フロアが、１つまたは複数のガードバンド周波数のエネルギーに基づいて判断され、前記しきい値エネルギーが、事前構成されたオフセット値だけ前記雑音フロアをオフセットすることによって判断される、または、前記しきい値エネルギーが、事前構成されたオフセットと、前記周波数スペクトルセグメント中で識別された最も低いエネルギー周波数の１つまたは複数のエネルギーレベルとの組合せに基づいて判断される、請求項８に記載の装置。
【請求項１５】
プログラムコードを有するコンピュータプログラムであって、前記プログラムコードは、コンピュータ上で実行されたときに、請求項１乃至７のうちのいずれか一項に従う前記方法を前記コンピュータに行わせるためのプログラムコードを含む、コンピュータプログラム。
【発明の詳細な説明】
【技術分野】
【０００１】
関連出願の相互参照
[0001]  本出願は、その全体が参照により本明細書に明確に組み込まれる、２０１２年３月２日に出願された「FREQUENCY SCAN METHOD FOR DETERMINING THE SYSTEM CENTER FREQUENCY FOR LTE TDD」と題する米国仮特許出願第６１／６０６，３４０号の利益を主張する。
【０００２】
[0002]  本開示は、一般に通信システムに関し、より詳細には、無線周波数チャネル番号を捕捉するための方法に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、様々なワイヤレスデバイスが都市、国家、地域、さらには地球規模で通信することを可能にする共通プロトコルを提供するために、様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、ワイヤレス通信の方法が、複数の時間間隔中の受信無線周波数信号の周波数スペクトルセグメント（frequency spectrum segment）の電力プロファイルを判断する（determine）ことを備える。周波数スペクトルセグメントの電力プロファイルは、周波数スペクトルセグメントのエネルギーと、周波数スペクトルセグメント中の周波数にわたるエネルギーの分布とによって特徴づけられ得る。
【０００６】
[0006]  本開示の一態様では、周波数スペクトルセグメントの第１のリストが各時間間隔について生成され、第１のリストが、ダウンリンク信号の電力プロファイルに一致するエネルギー分布を有する、各時間間隔中の周波数スペクトルセグメントを識別する。各時間間隔についての周波数スペクトルセグメントの第２のリストが生成され得、第２のリストは、雑音フロアに対するしきい値エネルギーよりも大きい平均エネルギーまたは総エネルギーを有する各時間間隔中の周波数スペクトルセグメントを識別する。
【０００７】
[0007]  本開示の一態様では、ワイヤレス通信システムのダウンリンク周波数が、第１および第２のリスト中で識別された周波数スペクトルセグメントに基づいて判断される。複数の時間間隔について生成された第１のリストを、スペクトルセグメントの発生回数によって順序付けられたマージ（merge）された第１のリストにマージすることと、複数の時間間隔について生成された第２のリストを、スペクトルセグメントの発生回数によって順序付けられたマージされた第２のリストにマージすることとによって、ダウンリンク周波数が判断される。マージされた第１のリストおよびマージされた第２のリストは、総スペクトルセグメントエネルギーまたは平均スペクトルセグメントエネルギーによってさらに順序付けられる。
【０００８】
[0008]  本開示の一態様では、ダウンリンクを判断することが、あらかじめ定義された数（predefined number）の最も頻繁に発生するスペクトルセグメントに制限された合成リスト（combined list）を取得するために、マージされた第１のリストをマージされた第２のリストと合成することと、利用可能なアップリンク周波数および利用可能なダウンリンク周波数を求めて合成リスト中で識別されたスペクトルセグメントを探索することとを含み得る。あらかじめ定められた数（predetermined number）は、所望の最大絶対無線周波数チャネル番号捕捉時間（maximum absolute radio frequency channel number acquisition time）を取得するように選択される。スペクトルセグメントは、それらの発生頻度（frequency of occurrence）とリスト優先度とに基づいて、マージされた第１のリストおよびマージされた第２のリストからの合成リストに加えられ、マージされた第１のリストが、マージされた第２のリストよりも高い優先度を有し得る。
【０００９】
[0009]  本開示の一態様では、ダウンリンク周波数を判断することが、判断されたダウンリンク周波数に対応する絶対無線周波数チャネル番号を識別することを含む。
【００１０】
[0010]  本開示の一態様では、受信無線周波数信号が、アクセスポイントによって送信されたダウンリンク信号と、ユーザ機器によって送信されたアップリンク信号とを含み、時間間隔の数が、アップリンク信号なしに、ダウンリンク信号を備える少なくとも１つの時間間隔を与えるように選択される。
【００１１】
[0011]  本開示の一態様では、各時間間隔の持続時間がワイヤレス通信システムのダウンリンクスロット送信時間に対応する。複数の時間間隔が、連続する時間間隔を備え得、複数の時間間隔が、ワイヤレス通信システムのフレーム送信時間の１／２にわたり得る。複数の時間間隔が１０個の時間間隔を備え得、複数の時間間隔の各々が０．５ミリ秒の持続時間を有し、合計少なくとも５ミリ秒の持続時間となり得る。いくつかの実施形態では、複数の時間間隔が１０ミリ秒ごとに繰り返す。
【００１２】
[0012]  本開示の一態様では、複数の時間間隔の各々中の受信無線周波数信号のスペクトル推定値が、別の複数の時間間隔中の対応する時間間隔中の受信無線周波数信号のスペクトル推定値と平均化される。対応する時間間隔からのスペクトル推定値が、パイプラインを使用して平均化され得る。
【００１３】
[0013]  本開示の一態様では、第１のリスト中で識別される周波数スペクトルセグメントがガードバンド（guard band）によって制限される。雑音しきい値が、事前構成されたオフセット値に追加された１つまたは複数のガードバンド周波数のエネルギーに基づいて判断され得る。いくつかの実施形態では、雑音フロアが、１つまたは複数のガードバンド周波数のエネルギーに基づいて判断され、しきい値エネルギーが、事前構成されたオフセット値によって雑音フロアをオフセットすることによって判断される。
【００１４】
[0014]  本開示の一態様では、ダウンリンク周波数を判断することが、時分割複信（time division duplex）アップリンクダウンリンクパターンを判断することを含む。周波数スペクトルセグメントの電力プロファイルを判断することが、時分割複信帯域インデックス番号を選択することを含み得る。周波数スペクトルセグメントの電力プロファイルを判断することが、低雑音増幅器のための利得状態を設定することを含む。
【図面の簡単な説明】
【００１５】
【図１】[0015]  ネットワークアーキテクチャの例を示す図。
【図２】[0016]  アクセスネットワークの例を示す図。
【図３】[0017]  ＬＴＥにおけるＤＬフレーム構造の例を示す図。
【図４】[0018]  ＬＴＥにおけるＵＬフレーム構造の例を示す図。
【図５】[0019]  ユーザプレーンおよび制御プレーンのための無線プロトコルアーキテクチャの例を示す図。
【図６】[0020]  アクセスネットワーク中の発展型ノードＢおよびユーザ機器の例を示す図。
【図７】[0021]  異種ネットワーク中のセルラー領域を示す図。
【図８】[0022]  干渉ダウンリンクおよびアップリンク信号を示す図。
【図９】[0023]  アップリンクおよびダウンリンク信号中のスペクトルを示す図。
【図１０】[0024]  ワイヤレス通信の方法のフローチャート。
【図１１】[0025]  ワイヤレス通信の方法のフローチャート。
【図１２】[0026]  例示的な装置中の異なるモジュール／手段／構成要素間のデータフローを示す概念データフロー図。
【図１３】[0027]  処理システムを採用する装置のためのハードウェア実装形態の例を示す図。
【発明を実施するための形態】
【００１６】
[0028]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１７】
[0029]  次に、様々な装置および方法に関して電気通信システムのいくつかの態様を提示する。これらの装置および方法について、以下の詳細な説明において説明し、（「要素（elements）」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１８】
[0030]  例として、要素、または要素の任意の部分、または要素の任意の組合せは、１つまたは複数のプロセッサを含む「処理システム（processing system）」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１９】
[0031]  したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００２０】
[0032]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２１】
[0033]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６はまた、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２２】
[0034]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２３】
[0035]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２４】
[0036]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）（登録商標）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２５】
[0037]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２６】
[0038]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２７】
[0039]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２８】
[0040]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００２９】
[0041]  図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３０】
[0042]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３１】
[0043]  初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３２】
[0044]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３３】
[0045]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３４】
[0046]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００３５】
[0047]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３６】
[0048]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３７】
[0049]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３８】
[0050]  ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３９】
[0051]  コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４０】
[0052]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４１】
[0053]  ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４２】
[0054]  ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４３】
[0055]  コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号（decipher）と、ヘッダ復元（decompression）と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４４】
[0056]  図７は、ｅＮＢ７１０と、複数のＵＥ７２０、７２２および７２４とを備える異種ネットワークにおけるセルラー領域を示す図７００である。本発明の態様は、ｅＮＢ７１０とＵＥ７２２との間で使用され得るＥ−ＵＴＲＡチャネルを見つけることを試みているＵＥ７２２によるセル探索中のタイミングと周波数との捕捉（acquisition）に関する。Ｅ−ＵＴＲＡチャネルに関連する周波数は、Ｅ−ＵＴＲＡ絶対無線周波数チャネル番号（ＥＡＲＦＣＮ：E-UTRA absolute radio frequency channel number）を識別し得る。各Ｅ−ＵＴＲＡチャネルは、ＵＥ７２２によって使用され得る帯域幅の異なる組合せを有し得、ＦＤＤまたはＴＤＤをサポートし得る。ＦＤＤスペクトルは、同時送信のためのアップリンク帯域とダウンリンク帯域とを必要とし、ＴＤＤは、アップリンクとダウンリンクとが同じ周波数上でただし異なる時間に送信される単一の帯域を必要とする。いくつかの事例では、ＴＤＤのためのＬＴＥ帯域割振りとＦＤＤのためのＬＴＥ帯域割振りとが重複し得、アップリンク信号とダウンリンク信号とが同じ帯域中に現れ得る可能性がある。
【００４５】
[0057]  また、図８を参照すると、ＵＥ７２２は、ダウンリンクシグナリングのために使用される周波数のＥ−ＵＴＲＡ帯域に対応する特性を有するスペクトルセグメントを検査することによって、セル探索中にダウンリンク信号８０８を求め得る。一例では、ＴＤＤ帯域＃３８は、キャリアごとに９ＭＨｚ帯域幅をもつ６つのキャリアに分割され得る。本発明のいくつかの実施形態は、帯域全体をカバーするために６つのキャリアのすべてを走査し得る。
【００４６】
[0058]  スペクトルセグメントは、それがいくつかの要件を満たす場合、ＬＴＥダウンリンク信号を特徴づけ得る。ＬＴＥシステムにおけるダウンリンク信号は、たとえば、帯域幅にわたって平坦なまたは他のスペクトルプロファイルと、ガードバンドによるスペクトルのエッジにおける急な低下とによって特徴づけられるプロファイルを有し得る。ＬＴＥは、１．４ＭＨｚ、３ＭＨｚ、５ＭＨｚ、１０ＭＨｚ、１５ＭＨｚまたは２０ＭＨｚの帯域幅を有するチャネルを定義する。スペクトルプロファイルは、平坦であり、または別の形状を有し、ガードバンドによって制限され得る。ＵＥ７２２は、スペクトルの電力プロファイルが、ガードバンドに対応するチャネルのエッジにおける電力の急な低下をもつ、（たとえば、チャネル帯域幅にわたって十分に平坦な）ＬＴＥダウンリンク信号に関連するプロファイルに一致する場合、受信信号がＬＴＥダウンリンク信号を備えると判断し得る。図８に、ＬＴＥシステムにおけるダウンリンクスペクトル８０２を示す。
【００４７】
[0059]  ＵＥ７２２は、チャネルの中心周波数を見つけて、同期するように構成され得る。ＵＥは、受信ＲＦ信号中の検出されたスペクトルのエネルギーおよび電力プロファイルに基づいて中心周波数を識別し得る。近くにあるおよび／または高電力ＵＥ７２４によって送信されたアップリンク信号８０４の存在は、ＵＥ７２２が正確な中心周波数を識別するのを妨げ得、ＵＥ７２２が利用可能なチャネルのためのＥＡＲＦＣＮを取得するのを妨げ得る。ＵＥ７２４によるアップリンク送信８０８は、一般に、ダウンリンク送信８０８よりも狭い帯域幅を有するが、著しくより高い電力を有し得る。さらに、ＴＤＤモードでは、ＵＥ７２４からのアップリンク送信８０８は、ｅＮＢ７１０のダウンリンク送信８０８と重複し得る。したがって、ＵＥ７２２は、ダウンリンクスペクトルプロファイルに一致するダウンリンクチャネルを識別し得るが、スペクトル内の電力分布に基づいてチャネルの中心周波数を誤識別し得る。図９は、純粋なアップリンク信号についてのスペクトル９００と、純粋なダウンリンク信号についてのスペクトル９０２と、アップリンク信号とダウンリンク信号とが重複したときに観測されるスペクトル９０４との例を与える。
【００４８】
[0060]  ＵＥ７２２は、ダウンリンクフレーム送信期間またはフレーム送信期間の一部分または他の間隔に対応する時間期間中にＲＦ信号のスペクトルを特徴づけることによってダウンリンク信号を検出し得る。ＬＴＥシステムでは、たとえば、フレーム送信時間が１０ミリ秒であり得、時間期間が５ミリ秒であり得る。ＵＥ７２２は、第１のリスト中において、一般に、低電力ガードバンドを特徴づけるチャネルエッジにおける急な低下をもつ、ダウンリンク信号に関連する電力プロファイルを有するスペクトルに対応するＥＡＲＣＦＮ候補を識別し得る。ＥＡＲＦＣＮ候補はスペクトルセグメントの中心周波数によって識別され得る。１つまたは複数のアップリンク信号がダウンリンク信号の送信中に存在するときに、第１のリストが相対的に短くなり得ることが予想され得る。
【００４９】
[0061]  ＵＥ７２２は、ＥＡＲＣＦＮに対応するスペクトルが、しきい値を超える合成エネルギーまたは平均エネルギーを有するとき、ＥＡＲＦＣＮ候補の第２のリストをコンパイルし得る。平均エネルギーは、たとえば、Ｈｚ当たりのエネルギーとして表され得る。いくつかの実施形態では、第２のリストは、第１のリストに含めるのに適格でなかったスペクトルに関係する候補を備え得る。エネルギーしきい値は雑音フロアに対して定義され得、しきい値は、ＥＡＲＦＣＮ候補を削除するかまたは適格とするために使用され得る。雑音フロアは、ガードバンド中の周波数など、いくつかの周波数のエネルギーレベルから計算され得る。最低エネルギー周波数におけるエネルギーは、雑音フロアを計算するために使用され得、しきい値は、ワイヤレスシステムの特定の特性に適応するように補正係数または他の構成されたオフセットを使用して設定され得る。一例では、しきい値は、ある割合のスペクトルセグメントの考慮からの削除を可能にするように選択された２〜３ｄＢの構成されたオフセットを使用して設定され得る。
【００５０】
[0062]  第２のリストは、近くにあるＵＥ７２４から受信したアップリンク信号の存在下でさえ、ＵＥ７２２がシステムＥＡＲＣＦＮを見つけることを可能にし得る。第２のリストに記載されたいくつかの候補は、エネルギーしきい値を超えるが、ダウンリンク信号中で予想された周波数の範囲なしで高電力アップリンク信号の周波数を有する、総エネルギーまたは平均エネルギーを有するスペクトルに対応し得る。したがって、第１のリストは、一般に、アップリンク信号によって与えられた周波数を含むスペクトルを含まないので、第１のリスト中で見つけられたＥＡＲＦＣＮ候補は、使用可能なＥＡＲＣＦＮをもたらす可能性がより高く、ＵＥ７２２は、より高い程度の信頼性をもつダウンリンクチャネルについての中心周波数の位置を特定し得る。
【００５１】
[0063]  ＵＥ７２２によってコンパイルされたリストは、タイミングおよび周波数情報を捕捉し、使用可能なＥＡＲＣＦＮを最終的に判断するためにＵＥ７２２が探索し得る、いくつかのＥＡＲＦＣＮ候補を与え得る。実行されるべき探索の数により、捕捉時間が長くなることがある。たとえば、ＴＤＤ帯域＃３８は５０ＭＨｚ帯を備え得、合成リストは約５００以上の探索を与え得る。タイミングおよび周波数の捕捉には５０ｍｓかかり得るので、ＵＥ７２２は、空の帯域３８を探索するのに２５秒以上を費やし得る。
【００５２】
[0064]  セル捕捉時間は、ダウンリンク信号とアップリンク信号とを分離することによって改善され得る。いくつかの実施形態では、少なくとも１つのスペクトルセグメントがアップリンク信号なしにダウンリンク信号を備えることを保証するために、スロット送信時間に対応する時間間隔中のスペクトルセグメントが分析され得る。一例では、０．５ｍｓの時間間隔中の１０個のスペクトル推定値がＬＴＥスロット送信タイミングに対応する。ＬＴＥシステムにおけるＤＬフレーム構造３００（図３参照）は、１０ｍｓの持続時間を有し得、１０個の等しいサイズのサブフレームに分割され、各々が０．５ｍｓの２つのスロットを有し得る。
【００５３】
[0065]  １０ｍｓのフレーム送信時間を有するＬＴＥシステムの場合、１０個のスペクトル推定値は、ＥＡＲＣＦＮ捕捉プロセス中の５ｍｓ期間にわたり得る。本発明のいくつかの実施形態では、他のスロット中の干渉アップリンク信号のスペクトルを除外しながら、ダウンリンク信号を備える少なくとも１つのスペクトルセグメントをキャプチャするために、５ｍｓ総期間にわたる１０個以上の時間間隔のセットの各々中にスペクトル推定値が取得される。タイミングチャート８１０は、ダウンリンク送信８２２とアップリンク送信８２４と他の送信８２６とが異なる時間に発生するＴＤＤタイミング８２０を示す。複数の時間間隔８２８中のスペクトルセグメントが、５ｍｓウィンドウ８３０内で分析され得、時間間隔のセットの各０．５ｍｓ時間間隔中で見つけられたスペクトルの特性が、ダウンリンク信号が存在するかどうかを判断するために分析される。いくつかの実施形態では、より滑らかでより一貫したスペクトル推定値を取得するために、時間間隔８２８の２つ以上のセット８３０の対応する時間間隔８２８中のスペクトル推定値が平均化され得る。一例では、ＲＦ信号中および／または特定のスペクトルセグメント中で観測されるローディング変動およびフェージング変動をなくすために、パイプラインベースの平均化が使用され得る。パイプライン平均化には、時間期間（time period）の連続するセット間の平均化において使用される中間値を維持するために追加のメモリが必要であり得る。
【００５４】
[0066]  より短い時間間隔８２８中でのスペクトルセグメントの検査は、処理時間の著しい増加、したがって、増加した捕捉時間を必要とし得る。いくつかの実施形態では、並列処理によっておよび／または探索されるべきＥＡＲＦＣＮ候補の数を制限することによって、捕捉時間が低減され得る。
【００５５】
[0067]  時間間隔のセット８３０中の各時間間隔８２８について、ＵＥ７２２は、ＬＴＥチャネル帯域幅に対応する周波数の範囲にわたってある電力プロファイルを有し、スペクトルエッジにおける急な低下として現れ得るスペクトルセグメントの上縁および下縁におけるガードバンドを有する、発見されたスペクトルセグメントに対応するＥＡＲＦＣＮ候補を第１のリスト中で識別し得る。第２のリスト中では、ＵＥ７２２は、雑音フロアに対して定義されたしきい値を超える合成エネルギーを有するスペクトルの発生を識別し得る。
【００５６】
[0068]  短縮された時間間隔８２８は、時間間隔８２８中で見つけられたスペクトルセグメントに対応する周波数または周波数の範囲に関係する多数の候補ＥＡＲＦＣＮを生成し得る。ＵＥ７２２は、セル探索のための限られた数のＥＡＲＣＦＮ候補を選択し得、時間間隔８２８の１つまたは複数のセットについての第１のリストと、時間間隔８２８の１つまたは複数のセットについての第２のリストとを統合し得る。ＵＥ７２２はまた、リストのコンテンツに優先度を付け、第１のリストを第２のリストセットよりも優先させ、および／または探索されるべきいくつかのチャネルを取得するために第１および第２のリストを連結し得る。いくつかの実施形態では、１つまたは複数のリスト中での周波数または周波数の帯域の発生頻度に基づいて、結果に優先度が付けられ得る。同数の発生を有する異なる周波数は、対応するスペクトルセグメントのエネルギーレベルに従ってソートされ得る。
【００５７】
[0069]  一例では、ＵＥ７２２は、１０個の時間間隔のセットから生成された第１のリストのすべてを合成またはマージし得、時間間隔のセットから生成された第２のリストのすべてを合成またはマージし得る。ＵＥは、次いで、識別された周波数の発生頻度の順序によって、合成された第１のリストと合成された第２のリストの各々をソートし得る。ＵＥは、第１のリスト中で識別された周波数のエネルギーに基づいて、合成された第１のリストをソートし得る。ＵＥは、次いで、探索のための第３のリストを取得するために、合成された第２のリストからのエントリを合成された第１のリストに追加し得る。
【００５８】
[0070]  いくつかの実施形態では、ＵＥは、グループのメンバーシップが、たとえば５０個のエントリであり得る、あらかじめ定義された数（predefined number）のエントリを超えない、探索されるべきスペクトルセグメントの第３のリストまたはグループをコンパイルし得る。一般に、第１のリスト中のエントリはより高いレベルの信頼性に関連付けられ得、第１のリストは、したがって、第３のリストへの選択の目的でより高い優先度を割り当てられ得る。いくつかの実施形態では、第１リストと第２のリストの両方中で識別されたスペクトルセグメントは、両方のリスト中での発生頻度に基づいて優先度を付けられ得る。いくつかの実施形態では、第１のリストと第２のリストの両方中で識別されたスペクトルセグメントは、第１のリスト中での発生頻度と、第２のリスト中で識別された時間間隔８２８中で検出された電力レベルとに基づいて優先度を付けられ得る。
【００５９】
[0071]  いくつかの実施形態では、スペクトルセグメントの分析が、ワイヤレスシステムに関係する追加情報をもたらし得る。たとえば、時間間隔８２８中で観測されたスペクトルセグメントの周波数とタイミングとの分析が、時分割複信アップリンクダウンリンクパターンを判断するために使用され得る。
【００６０】
[0072]  図１０は、ワイヤレス通信の方法のフローチャート１０００である。本方法は、ＴＤＤ帯域におけるＥＡＲＦＣＮを識別するためにＵＥ７１０によって実行され得る。ステップ１００２において、ＵＥ７１０は、第１のＴＤＤ帯域を現在ＴＤＤ帯域として選択する。現在ＴＤＤ帯域は、時分割複信帯域インデックス番号を使用して識別され得る。さらに、ＵＥ１０７は、スペクトルセグメント中で観測されたエネルギーなど、１つまたは複数のファクタに基づいて低雑音増幅器のための利得状態を設定し得る。ステップ１００４において、ＵＥ７１０は、現在帯域中に存在する周波数を表すスペクトル推定値を取得し得る。ステップ１００６において、ＵＥ１０７は、時間間隔中の周波数スペクトルセグメントの電力プロファイルを判断する。周波数スペクトルセグメントは、現在ＴＤＤ帯域のチャネルに対応し得る。電力プロファイルは、周波数スペクトルセグメントのエネルギーと、周波数スペクトルセグメント中の周波数にわたるエネルギーの分布とによって特徴づけられ得る（図８参照）。ステップ１００８において、ＵＥ１０７が、スペクトルセグメントがダウンリンク信号の電力プロファイルに一致する電力プロファイルを有すると判断した場合、ステップ１０１４において、候補の第１のリスト中でスペクトルセグメントおよび／または時間間隔が識別され得る。一例では、図９のスペクトル９００に示すように、概して平坦な電力セグメント８０２がチャネル帯域幅にわたって広がり得る。ステップ１０１０において、ＵＥ１０７が、スペクトルセグメントの電力プロファイルがしきい値エネルギーを超えると判断した場合、ステップ１０１６において、候補の第２のリスト中でスペクトルセグメントおよび／または時間間隔が識別され得る。スペクトルセグメントは、図９の例示的なスペクトル９０２および９０４に示すように、近接して位置する高電力ＵＥがスペクトルセグメント中でアップリンク信号８０４を送信するとき、しきい値を超えるエネルギーを有し得る。
【００６１】
[0073]  ステップ１０１２において、ＵＥ１０７は、第１および第２のリスト中で識別された時間間隔および／またはスペクトルセグメントに基づいて（ステップ１０２０における）ワイヤレス通信システムのＥＡＲＦＣＮを判断し得る。ＥＡＲＦＣＮが判断され得ない場合、ＵＥ１０７は別のＴＤＤ帯域を探索し、ステップ１０１８において現在帯域インデックスを増分し、ステップ１００４において探索を再開し得る。
【００６２】
[0074]  図１０に示すプロセスでは、スペクトルセグメントは、１０ｍｓ以上になり得るＬＴＥシステムのフレーム持続時間の一部分に対応する時間期間に関係し得る。たとえば、スペクトルセグメントは、５ｍｓの使用された期間に関係し得る。図１０に示すプロセスは、より大きい数のより短いタイミング間隔を使用する本発明のいくつかの実施形態において適応および採用され得る。本発明のいくつかの実施形態は、合計５ｍｓになる時間間隔のセットを使用してプロセスを実行し、したがって、図１０に関して説明したスペクトルセグメントの数の倍数をもたらす。
【００６３】
[0075]  図１１は、ワイヤレス通信の方法のフローチャート１１００である。本方法はＵＥ１０７によって実行され得る。ステップ１１０２において、ＵＥ１０７は、時間間隔８２８のセットに対するインデックスを作成し得る。インデックスは、スペクトルセグメントが分析される現在の時間間隔８２８を識別するために使用され得る。いくつかの実施形態では、スペクトルセグメントが並列に処理されるときを含めて、インデックスが使用されないことがある。
【００６４】
[0076]  ステップ１１０４において、ＵＥ１０７は、複数の時間間隔８２８中の受信無線周波数信号の周波数スペクトルセグメントの電力プロファイルを判断し得る。各時間間隔８２８の持続時間はワイヤレス通信システムのダウンリンクスロット送信時間に対応し得、複数の時間間隔は連続する時間間隔８２８を備え、ワイヤレス通信システムの１／２フレーム送信時間に広がり得る。複数の時間間隔が１０個の時間間隔を備え得、複数の時間間隔の各々が０．５ミリ秒の持続時間を有し、合計少なくとも５ミリ秒の持続時間となり得る。いくつかの実施形態では、複数の時間間隔が１０ミリ秒ごとに繰り返す。
【００６５】
[0077]  複数の時間間隔８２８の各々中の受信無線周波数信号のスペクトル推定値は、別の複数の時間間隔中の対応する時間間隔中の受信無線周波数信号のスペクトル推定値と平均化され得る。対応する時間間隔からのスペクトル推定値は、パイプラインを使用して平均化され得る。
【００６６】
[0078]  いくつかの実施形態では、ＵＥ１０７は、周波数スペクトルセグメントの電力プロファイルを判断するより前に、時分割複信帯域インデックス番号を選択し得る。いくつかの実施形態では、ＵＥ１０７は、周波数スペクトルセグメントの電力プロファイルを判断しながら、低雑音増幅器のための利得状態を設定し得る。
【００６７】
[0079]  周波数スペクトルセグメントの電力プロファイルは、周波数スペクトルセグメントのエネルギーと、周波数スペクトルセグメント中の周波数にわたるエネルギーの分布とによって特徴づけられ得る（たとえば、図９のスペクトル９００参照）。受信無線周波数信号は、アクセスポイント（たとえばｅＮＢ７１０）によって送信されたダウンリンク信号８０２と、ユーザ機器７２４によって送信されたアップリンク信号８０４とを含み得る。時間間隔８２８の数（number）は、アップリンク信号８２４からの周波数なしに、ダウンリンク信号８２２に対応する周波数を備える少なくとも１つの周波数スペクトルセグメントを与えるように選択され得る。
【００６８】
[0080]  ステップ１１０６において、ＵＥ１０７が、現在時間間隔８２８中のスペクトルセグメントがダウンリンク信号の電力プロファイルに一致するエネルギー分布を有すると判断した場合、ステップ１１１２において、現在時間間隔８２８についての周波数スペクトルセグメントの第１のリスト中でスペクトルセグメントが識別され得る。一例では、ダウンリンク信号は、図９のスペクトル９００に示すように、チャネル帯域幅にわたって広がり得る概して平坦な電力セグメント８０２として特徴づけられるプロファイルを有し得る。第１のリスト中で識別される周波数スペクトルセグメントはガードバンドによって制限され得る。ワイヤレスシステムは、１．４ＭＨｚと、３ＭＨｚと、５ＭＨｚと、１０ＭＨｚと、１５ＭＨｚと、２０ＭＨｚとのうちの１つまたは複数を含む複数のダウンリンクチャネル帯域幅を定義し得る。
【００６９】
[0081]  ステップ１１０８において、ＵＥ１０７が、現在の時間間隔８２８中のスペクトルセグメントが雑音フロアに対するしきい値エネルギーよりも大きい総エネルギーまたは平均エネルギーを有すると判断した場合、ステップ１１１６において、現在の時間間隔８２８についての周波数スペクトルセグメントの第２のリスト中でスペクトルセグメントが識別され得る。スペクトルセグメントは、図９の例示的なスペクトル９０２および９０４に示すように、近接して位置する高電力ＵＥがスペクトルセグメント中でアップリンク信号８０４を送信するとき、しきい値を超えるエネルギーを有し得る。第１のリスト中で識別される周波数スペクトルセグメントはガードバンドによって制限され得、事前構成されたオフセット値に追加された１つまたは複数のガードバンド周波数のエネルギーに基づいて、雑音しきい値が判断され得る。いくつかの実施形態では、雑音フロアが、１つまたは複数のガードバンド周波数のエネルギーに基づいて判断され、しきい値エネルギーが、事前構成されたオフセット値によって雑音フロアをオフセットすることによって判断される。
【００７０】
[0082]  ステップ１１１０において、ＵＥ１０７は、別の時間間隔８２８が処理のために残っているかどうかを判断し得、それに応じて、ステップ１１１８において、時間間隔カウンタを増分する。
【００７１】
[0083]  時間間隔８２８のすべて中のスペクトルセグメントを処理した後、ステップ１１１８において、ＵＥ１０７は、第１および第２のリスト中で識別された周波数スペクトルセグメントに基づいて、ワイヤレス通信システムのダウンリンク周波数を判断（determine）し得る。ＵＥ１０７は、第１および第２のリスト中の最も頻繁に識別された周波数スペクトルセグメントからのダウンリンク周波数を判断し得る。ＵＥ１０７は、複数の時間間隔について生成された第１のリストを、スペクトルセグメントの発生回数によって順序付けられたマージされた第１のリストにマージすることと、時間間隔のセットについて生成された第２のリストを、スペクトルセグメントの発生回数によって順序付けられたマージされた第２のリストにマージすることとによって、ダウンリンク周波数を判断し得る。マージされた第１のリストおよびマージされた第２のリストは、スペクトルセグメントエネルギーによってさらに順序付けられ得る。
【００７２】
[0084]  ＵＥ１０７は、あらかじめ定義された数の最も頻繁に発生するスペクトルセグメントに制限された合成リストを取得するために、マージされた第１のリストをマージされた第２のリストと合成し得る。あらかじめ定められた数は、所望の最大絶対無線周波数チャネル番号捕捉時間を取得するように選択され得る。ＵＥ１０７は、利用可能なアップリンク周波数および利用可能なダウンリンク周波数を求めて合成リスト中で識別されたスペクトルセグメントを探索し得る。ＵＥ１０７は、スペクトルセグメントを、それらの発生頻度とリスト優先度とに基づいて、マージされた第１のリストおよびマージされた第２のリストからの合成リストに加え、マージされた第１のリストが、マージされた第２のリストよりも高い優先度を有し得る。
【００７３】
[0085]  ＵＥ１０７は、利用可能なアップリンクおよびダウンリンク周波数に対応する、ＥＡＦＲＣＮなどの、絶対無線周波数チャネル番号（absolute radio frequency channel number）を識別することによって、ダウンリンク周波数を判断し得る。ＵＥ１０７は、時分割複信アップリンクダウンリンクパターンを判断し得る。
【００７４】
[0086]  図１２は、例示的な装置１２０２中の異なるモジュール／手段／構成要素間のデータフローを示す概念データフロー図１２００である。装置１２０２はＵＥ１０７であり得る。装置１２０２は受信モジュール１２０４を含み、受信モジュール１２０４は、ＲＦ信号１２３２を受信し、スペクトルセグメント１２２０を与える。スペクトルセグメントは、複数の時間間隔８２８中に存在し得る。各時間間隔８２８の持続時間は、ワイヤレス通信システムのダウンリンクスロット送信時間に対応し得、複数の時間間隔は、連続する時間間隔８２８を備え、ワイヤレス通信システムの１／２フレーム送信時間にわたり得る。複数の時間間隔が１０個の時間間隔を備え得、複数の時間間隔の各々が０．５ミリ秒の持続時間を有し、合計少なくとも５ミリ秒の持続時間となり得る。いくつかの実施形態では、複数の時間間隔が１０ミリ秒ごとに繰り返す。
【００７５】
[0087]  複数の時間間隔８２８の各々中の受信無線周波数信号のスペクトル推定値は、別の複数の時間間隔中の対応する時間間隔中の受信無線周波数信号のスペクトル推定値と平均化され得る。対応する時間間隔からのスペクトル推定値は、パイプラインを使用して平均化され得る。
【００７６】
[0088]  装置１２０２は、複数の時間間隔中の受信無線周波数信号の周波数スペクトルセグメントの電力プロファイルを判断するモジュール１２０６を含む。周波数スペクトルセグメントの電力プロファイルは、周波数スペクトルセグメントのエネルギーと、周波数スペクトルセグメント中の周波数にわたるエネルギーの分布とによって特徴づけられ得る（たとえば、図９のスペクトル９００参照）。受信無線周波数信号は、アクセスポイント（たとえばｅＮＢ７１０）によって送信されたダウンリンク信号８０２と、ユーザ機器７２４によって送信されたアップリンク信号８０４とを含み得る。時間間隔８２８の数（number）は、アップリンク信号８２４からの周波数なしに、ダウンリンク信号８２２に対応する周波数を備える少なくとも１つの周波数スペクトルセグメントを与えるように選択され得る。
【００７７】
[0089]  装置１２０２は、各時間間隔８２８について周波数スペクトルセグメントの第１のリスト１２２６を生成するモジュール１２０８を含み、第１のリストは、ダウンリンク信号の電力プロファイルに一致するエネルギー分布を有する、各時間間隔８２８中の周波数スペクトルセグメントを識別する。一例では、ダウンリンク信号は、図９のスペクトル９００に示すように、チャネル帯域幅にわたって広がり得る平坦または他の形の電力セグメント８０２として特徴づけられる電力またはエネルギープロファイルを有し得る。第１のリスト中で識別される周波数スペクトルセグメントはガードバンドによって制限され得る。ワイヤレスシステムは、１．４ＭＨｚと、３ＭＨｚと、５ＭＨｚと、１０ＭＨｚと、１５ＭＨｚと、２０ＭＨｚとのうちの１つまたは複数を含む複数のダウンリンクチャネル帯域幅を定義し得る。
【００７８】
[0090]  装置１２０２は、各時間間隔について周波数スペクトルセグメントの第２のリスト１２２８を生成するモジュール１２１０を含み、第２のリストは、雑音フロアに対するしきい値エネルギーよりも大きい総エネルギーまたは平均エネルギーを有する各時間間隔中の周波数スペクトルセグメントを識別する。スペクトルセグメントは、図９の例示的なスペクトル９０２および９０４に示すように、近接して位置する高電力ＵＥがスペクトルセグメント中でアップリンク信号８０４を送信するとき、しきい値を超えるエネルギーを有し得る。
【００７９】
[0091]  装置１２０２は、第１のリスト１２２６および第２のリスト１２２８中で識別された周波数スペクトルセグメントに基づいてワイヤレス通信システムのダウンリンク周波数１２３０を判断するモジュール１２１０を含む。ＵＥ１０７は、第１および第２のリスト中の最も頻繁に識別された周波数スペクトルセグメントからのダウンリンク周波数を判断し得る。モジュール１２１０は、複数の時間間隔について生成された第１のリストを、スペクトルセグメントの発生回数によって順序付けられたマージされた第１のリストにマージすることと、時間間隔のセットについて生成された第２のリストを、スペクトルセグメントの発生回数によって順序付けられたマージされた第２のリストにマージすることとによって、ダウンリンク周波数を判断し得る。マージされた第１のリストおよびマージされた第２のリストは、スペクトルセグメントエネルギーによってさらに順序付けられ得る。
【００８０】
[0092]  モジュール１２１０は、あらかじめ定義された数の最も頻繁に発生するスペクトルセグメントに制限された合成リストを取得するために、マージされた第１のリストをマージされた第２のリストと合成し得る。あらかじめ定められた数は、所望の最大絶対無線周波数チャネル番号捕捉時間を取得するように選択され得る。モジュール１２１０は、利用可能なアップリンク周波数および利用可能なダウンリンク周波数を求めて合成リスト中で識別されたスペクトルセグメントを探索し得る。モジュール１２１０は、スペクトルセグメントを、それらの発生頻度とリスト優先度とに基づいて、マージされた第１のリストおよびマージされた第２のリストからの合成リストに加え、マージされた第１のリストが、マージされた第２のリストよりも高い優先度を有し得る。
【００８１】
[0093]  モジュール１２１０は、利用可能なアップリンクおよびダウンリンク周波数に対応する、ＥＡＦＲＣＮなど、絶対無線周波数チャネル番号を識別することによって、ダウンリンク周波数を判断し得る。モジュール１２１０は、時分割複信アップリンクダウンリンクパターンを判断し得る。
【００８２】
[0094]  本装置は、上述のフローチャート図１０および図１１中のアルゴリズムのステップの各々を実行する追加のモジュールを含み得る。したがって、上述のフローチャート図１０および図１１の中の各ステップは、１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８３】
[0095]  図１３は、処理システム１３１４を採用する装置１２０２’のためのハードウェア実装形態の一例を示す図である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２と、コンピュータ可読媒体１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0096]  処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担当する。ソフトウェアは、プロセッサ１３０４によって実行されたとき、処理システム１３１４に、特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、モジュール１２０４、１２０６、１２０８、１２１０、および１２１２のうちの少なくとも１つをさらに含む。モジュール１２０４、１２０６、１２０８、１２１０、および１２１２は、プロセッサ１３０４中で動作するか、コンピュータ可読媒体１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８５】
[0097]  一構成では、ワイヤレス通信のための装置１２０２／１２０２’は、ＲＦ信号を受信するための手段１２０４と、複数の時間間隔中の受信無線周波数信号の周波数スペクトルセグメントの電力プロファイルを判断するための手段１２０６と、各時間間隔について周波数スペクトルセグメントの第１のリストを生成するための手段１２０８であって、第１のリストが、ダウンリンク信号の電力プロファイルに一致するエネルギー分布を有する各時間間隔中の周波数スペクトルセグメントを識別する、手段１２０８と、各時間間隔について周波数スペクトルセグメントの第２のリストを生成するための手段１２１０であって、第２のリストが、雑音フロアに対するしきい値エネルギーよりも大きい総エネルギーまたは平均エネルギーを有する各時間間隔中の周波数スペクトルセグメントを識別する、手段１２１０と、第１および第２のリスト中で識別された周波数スペクトルセグメントに基づいてワイヤレス通信システムのダウンリンク周波数を判断するための手段１２１２とを含む。
【００８６】
[0098]  手段１２０４は、複数の時間間隔８２８中に存在し得るスペクトルセグメント１２２０を与え得る。各時間間隔８２８の持続時間は、ワイヤレス通信システムのダウンリンクスロット送信時間に対応し得、複数の時間間隔は、連続する時間間隔８２８を備え、ワイヤレス通信システムの１／２フレーム送信時間にわたり得る。複数の時間間隔が１０個の時間間隔を備え得、複数の時間間隔の各々が０．５ミリ秒の持続時間を有し、合計少なくとも５ミリ秒の持続時間となり得る。いくつかの実施形態では、複数の時間間隔が１０ミリ秒ごとに繰り返す。
【００８７】
[0099]  複数の時間間隔８２８の各々中の受信無線周波数信号のスペクトル推定値は、別の複数の時間間隔中の対応する時間間隔中の受信無線周波数信号のスペクトル推定値と平均化され得る。対応する時間間隔からのスペクトル推定値は、パイプラインを使用して平均化され得る。
【００８８】
[00100]  手段１２０６は、周波数スペクトルセグメントのエネルギーと、周波数スペクトルセグメント中の周波数にわたるエネルギーの分布とによって特徴づけられる電力プロファイル（たとえば、図９のスペクトル９００参照）を判断し得る。受信無線周波数信号は、アクセスポイント（たとえばｅＮＢ７１０）によって送信されたダウンリンク信号８０２と、ユーザ機器７２４によって送信されたアップリンク信号８０４とを含み得る。時間間隔８２８の数は、アップリンク信号８２４からの周波数なしに、ダウンリンク信号８２２に対応する周波数を備える少なくとも１つの周波数スペクトルセグメントを与えるように選択され得る。
【００８９】
[00101]  一例では、手段１２０８は、ダウンリンク信号が、図９のスペクトル９００に示すように、チャネル帯域幅にわたって広がり得る平坦または他の形の電力セグメント８０２によって特徴づけられる電力プロファイルを有すとき、一致を判断し得る。第１のリスト中で識別される周波数スペクトルセグメントはガードバンドによって制限され得る。ワイヤレスシステムは、１．４ＭＨｚと、３ＭＨｚと、５ＭＨｚと、１０ＭＨｚと、１５ＭＨｚと、２０ＭＨｚとのうちの１つまたは複数を含む複数のダウンリンクチャネル帯域幅を定義し得る。
【００９０】
[00102]  手段１２１０は、図９の例示的なスペクトル９０２および９０４に示すように、たとえば、近接して位置する高電力ＵＥがスペクトルセグメント中でアップリンク信号８０４を送信するとき、しきい値エネルギーよりも大きい総エネルギーまたは平均エネルギーを有する周波数スペクトルセグメントを判断し得る。第１のリスト中で識別される周波数スペクトルセグメントはガードバンドによって制限され得、事前構成されたオフセット値に追加された１つまたは複数のガードバンド周波数のエネルギーに基づいて、雑音しきい値が判断され得る。いくつかの実施形態では、雑音フロアが、１つまたは複数のガードバンド周波数のエネルギーに基づいて判断され、しきい値エネルギーが、事前構成されたオフセット値によって雑音フロアをオフセットすることによって判断される。
【００９１】
[00103]  手段１２１０は、第１および第２のリスト中の最も頻繁に識別された周波数スペクトルセグメントからのダウンリンク周波数を判断し得る。手段１２１０は、複数の時間間隔について生成された第１のリストを、スペクトルセグメントの発生回数によって順序付けられたマージされた第１のリストにマージすることと、時間間隔のセットについて生成された第２のリストを、スペクトルセグメントの発生回数によって順序付けられたマージされた第２のリストにマージすることとによって、ダウンリンク周波数を判断し得る。マージされた第１のリストおよびマージされた第２のリストは、スペクトルセグメントエネルギーによってさらに順序付けられ得る。
【００９２】
[00104]  手段１２１０は、あらかじめ定義された数（predefined number）の最も頻繁に発生するスペクトルセグメントに制限された合成リストを取得するために、マージされた第１のリストをマージされた第２のリストと合成し得る。あらかじめ決められた数（predetermined number）は、所望の最大絶対無線周波数チャネル番号捕捉時間を取得するように選択され得る。手段１２１０は、利用可能なアップリンク周波数および利用可能なダウンリンク周波数を求めて合成リスト中で識別されたスペクトルセグメントを探索し得る。手段１２１０は、スペクトルセグメントを、それらの発生頻度とリスト優先度とに基づいて、マージされた第１のリストおよびマージされた第２のリストからの合成リストに加え、マージされた第１のリストが、マージされた第２のリストよりも高い優先度を有し得る。
【００９３】
[00105]  手段１２１０は、利用可能なアップリンクおよびダウンリンク周波数に対応する、ＥＡＦＲＣＮなど、絶対無線周波数チャネル番号を識別することによって、ダウンリンク周波数を判断し得る。手段１２１０は、時分割複信アップリンクダウンリンクパターンを判断し得る。
【００９４】
[00106]  上述の手段は、上述の手段によって具陳される機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳した機能を実行するように構成されたＴＸプロセッサ６６８と、ＲＸプロセッサ６５６と、コントローラ／プロセッサ６５９とであり得る。
【００９５】
[00107]  開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９６】
[00108]  以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの（one and only one）」を意味するものではなく、「１つまたは複数の（one or more）」を意味するものである。別段に明記されていない限り、「いくつかの（some）」という語は、１つまたは複数の、を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段（means for）」という語句を使用して明確に具陳されていない限り、ミーンズプラスファンクションとして解釈されるべきではない。
以下に、本願出願の当初の特許請求の範囲に記載された発明を付記する。
［Ｃ１］  複数の時間間隔中の受信無線周波数信号の周波数スペクトルセグメントの電力プロファイルを判断することと、ここで周波数スペクトルセグメントの電力プロファイルが、前記周波数スペクトルセグメントのエネルギーと、前記周波数スペクトルセグメント中の前記周波数にわたる前記エネルギーの分布とによって特徴づけられる；
各時間間隔について周波数スペクトルセグメントの第１のリストを生成することと、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成することと、前記第２のリストが、雑音フロアに関係するしきい値エネルギーよりも大きい総エネルギーまたは平均エネルギーを有する前記各時間間隔中の周波数スペクトルセグメントを識別する；
前記第１および第２のリスト中で識別された複数の前記周波数スペクトルセグメントに基づいて、ワイヤレス通信システムのダウンリンク周波数を判断することと
を備える、ワイヤレス通信の方法。
［Ｃ２］  前記ダウンリンク周波数を判断することが、
前記複数の時間間隔について生成された複数の前記第１のリストを、スペクトルセグメントの発生回数によって順序付けられた１つのマージされた第１のリストにマージすることと、
前記複数の時間間隔について生成された複数の前記第２のリストを、スペクトルセグメントの発生回数によって順序付けられた１つのマージされた第２のリストにマージすることと
を含む、Ｃ１に記載の方法。
［Ｃ３］  前記マージされた第１のリストおよび前記マージされた第２のリストがスペクトルセグメントエネルギーによってさらに順序付けられる、Ｃ２に記載の方法。
［Ｃ４］  前記ダウンリンク周波数を判断することが、
あらかじめ定義された数の最も頻繁に発生するスペクトルセグメントに制限された合成リストを取得するために、前記マージされた第１のリストを前記マージされた第２のリストと合成することと、
利用可能なアップリンク周波数および利用可能なダウンリンク周波数を求めて前記合成リスト中で識別された複数の前記スペクトルセグメントを探索することと
を含む、Ｃ２に記載の方法。
［Ｃ５］  前記あらかじめ定められた数が、所望の最大絶対無線周波数チャネル番号捕捉時間を取得するように選択される、Ｃ４に記載の方法。
［Ｃ６］  複数のスペクトルセグメントが、それらの発生頻度とリスト優先度とに基づいて、前記マージされた第１のリストおよび前記マージされた第２のリストから前記合成リストに加えられ、前記マージされた第１のリストが、前記マージされた第２のリストよりも高い優先度を有する、Ｃ４に記載の方法。
［Ｃ７］  前記ダウンリンク周波数を判断することが、前記判断されたダウンリンク周波数に対応する絶対無線周波数チャネル番号を識別すること
を含む、Ｃ１に記載の方法。
［Ｃ８］  前記受信無線周波数信号が、アクセスポイントによって送信されたダウンリンク信号と、ユーザ機器によって送信されたアップリンク信号と
を含み、時間間隔の数が、前記アップリンク信号なしに、前記ダウンリンク信号を備える少なくとも１つの周波数スペクトルセグメントを与えるように選択される、Ｃ１に記載の方法。
［Ｃ９］  各時間間隔の持続時間が、前記ワイヤレス通信システムのダウンリンクスロット送信時間に対応する、Ｃ１に記載の方法。
［Ｃ１０］  前記複数の時間間隔が、連続する時間間隔を備え、前記複数の時間間隔が、前記ワイヤレス通信システムのフレーム送信時間の１／２にわたる、Ｃ９に記載の方法。
［Ｃ１１］  前記複数の時間間隔が１０個の時間間隔を備え、前記複数の時間間隔の各々が０．５ミリ秒の持続時間を有する、Ｃ９に記載の方法。
［Ｃ１２］  前記複数の時間間隔が１０ミリ秒ごとに繰り返す、Ｃ９に記載の方法。
［Ｃ１３］  前記複数の時間間隔の各々中の前記受信無線周波数信号のスペクトル推定値が、別の複数の時間間隔中の対応する時間間隔中の前記受信無線周波数信号のスペクトル推定値と平均化される、Ｃ９に記載の方法。
［Ｃ１４］  対応する時間間隔からのスペクトル推定値が、パイプラインを使用して平均化される、Ｃ１３に記載の方法。
［Ｃ１５］  前記第１のリスト中で識別される前記周波数スペクトルセグメントがガードバンドによって制限される、Ｃ１に記載の方法。
［Ｃ１６］  前記雑音しきい値が、事前構成されたオフセット値に追加された１つまたは複数のガードバンド周波数のエネルギーに基づいて判断される、Ｃ１５に記載の方法。
［Ｃ１７］  前記雑音フロアが、１つまたは複数のガードバンド周波数のエネルギーに基づいて判断され、前記しきい値エネルギーが、事前構成されたオフセット値によって前記雑音フロアをオフセットすることによって判断される、Ｃ１５に記載の方法。
［Ｃ１８］  前記しきい値エネルギーが、事前構成されたオフセットと、前記周波数スペクトルセグメント中で識別された１つまたは複数の最も低いエネルギー周波数のエネルギーレベルとの組合せに基づいて判断される、Ｃ１５に記載の方法。
［Ｃ１９］  前記ダウンリンク周波数を判断することが、時分割複信アップリンクダウンリンクパターンを判断すること
を含む、Ｃ１に記載の方法。
［Ｃ２０］  前記周波数スペクトルセグメントの前記電力プロファイルを判断することが、時分割複信帯域インデックス番号を選択すること
を含む、Ｃ１９に記載の方法。
［Ｃ２１］  前記周波数スペクトルセグメントの前記電力プロファイルを判断することが、低雑音増幅器のための利得状態を設定すること
を含む、Ｃ１９に記載の方法。
［Ｃ２２］  複数の時間間隔中の受信無線周波数信号の周波数スペクトルセグメントの電力プロファイルを判断するための手段と、ここで周波数スペクトルセグメントの電力プロファイルが、前記周波数スペクトルセグメントのエネルギーと、前記周波数スペクトルセグメントの前記周波数にわたる前記エネルギーの分布とによって特徴づけられる；
各時間間隔について周波数スペクトルセグメントの第１のリストを生成するための手段と、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成するための手段と、前記第２のリストが、雑音フロアに関係するしきい値エネルギーよりも大きい総エネルギーまたは平均エネルギーを有する前記各時間間隔中の周波数スペクトルセグメントを識別する；
前記第１および第２のリスト中で識別された前記周波数スペクトルセグメントに基づいて、ワイヤレス通信システムのダウンリンク周波数を判断するための手段と
を備える、ワイヤレス通信のための装置。
［Ｃ２３］  前記ダウンリンク周波数を判断するための前記手段が、前記複数の時間間隔について生成された前記第１のリストを、スペクトルセグメントの発生回数によって順序付けられたマージされた第１のリストにマージし、前記複数の時間間隔について生成された前記第２のリストを、スペクトルセグメントの発生回数によって順序付けられたマージされた第２のリストにマージする、Ｃ２２に記載の装置。
［Ｃ２４］  前記マージされた第１のリストおよび前記マージされた第２のリストがスペクトルセグメントエネルギーによってさらに順序付けられる、Ｃ２３に記載の装置。
［Ｃ２５］  前記ダウンリンク周波数を判断するための前記手段が、あらかじめ定義された数の最も頻繁に発生するスペクトルセグメントに制限された合成リストを取得するために、前記マージされた第１のリストを前記マージされた第２のリストと合成し、利用可能なアップリンク周波数および利用可能なダウンリンク周波数を求めて前記合成リスト中で識別された前記スペクトルセグメントを探索する、Ｃ２３に記載の装置。
［Ｃ２６］  あらかじめ定められた数が、所望の最大絶対無線周波数チャネル番号捕捉時間を取得するように選択される、Ｃ２５に記載の装置。
［Ｃ２７］  スペクトルセグメントが、それらの発生頻度とリスト優先度とに基づいて、前記マージされた第１のリストおよび前記マージされた第２のリストから前記合成リストに加えられ、前記マージされた第１のリストが、前記マージされた第２のリストよりも高い優先度を有する、Ｃ２５に記載の装置。
［Ｃ２８］  前記ダウンリンク周波数を判断するための前記手段が、前記判断されたダウンリンク周波数に対応する絶対無線周波数チャネル番号を識別する、Ｃ２２に記載の装置。
［Ｃ２９］  前記受信無線周波数信号が、アクセスポイントによって送信されたダウンリンク信号と、ユーザ機器によって送信されたアップリンク信号と
を含み、時間間隔の数が、前記アップリンク信号なしに、前記ダウンリンク信号を備える少なくとも１つの周波数スペクトルセグメントを与えるように選択される、Ｃ２２に記載の装置。
［Ｃ３０］  各時間間隔の持続時間が、前記ワイヤレス通信システムのダウンリンクスロット送信時間に対応する、Ｃ２２に記載の装置。
［Ｃ３１］  前記複数の時間間隔が、連続する時間間隔を備え、前記複数の時間間隔が、前記ワイヤレス通信システムのフレーム送信時間の１／２にわたる、Ｃ３０に記載の装置。
［Ｃ３２］  前記複数の時間間隔が１０個の時間間隔を備え、前記複数の時間間隔の各々が０．５ミリ秒の持続時間を有する、Ｃ３０に記載の装置。
［Ｃ３３］  前記複数の時間間隔が１０ミリ秒ごとに繰り返す、Ｃ３０に記載の装置。
［Ｃ３４］  前記複数の時間間隔の各々中の前記受信無線周波数信号のスペクトル推定値が、別の複数の時間間隔中の対応する時間間隔中の前記受信無線周波数信号のスペクトル推定値と平均化される、Ｃ３０に記載の装置。
［Ｃ３５］  対応する時間間隔からのスペクトル推定値が、パイプラインを使用して平均化される、Ｃ３４に記載の方法。
［Ｃ３６］  前記第１のリスト中で識別される前記周波数スペクトルセグメントがガードバンドによって制限される、Ｃ２２に記載の装置。
［Ｃ３７］  前記雑音しきい値が、事前構成されたオフセット値に加えられた１つまたは複数のガードバンド周波数のエネルギーに基づいて判断される、Ｃ３６に記載の方法。
［Ｃ３８］  前記雑音フロアが、１つまたは複数のガードバンド周波数のエネルギーに基づいて判断され、前記しきい値エネルギーが、事前構成されたオフセット値によって前記雑音フロアをオフセットすることによって判断される、Ｃ３６に記載の方法。
［Ｃ３９］  前記しきい値エネルギーが、事前構成されたオフセットと、前記周波数スペクトルセグメント中で識別された１つまたは複数の最も低いエネルギー周波数のエネルギーレベルとの組合せに基づいて判断される、Ｃ３６に記載の方法。
［Ｃ４０］  前記ダウンリンク周波数を判断するための前記手段が、時分割複信アップリンクダウンリンクパターンを判断する、Ｃ３２に記載の装置。
［Ｃ４１］  前記周波数スペクトルセグメントの前記電力プロファイルを判断するための前記手段が、時分割複信帯域インデックス番号を選択する、Ｃ３４に記載の装置。
［Ｃ４２］  前記周波数スペクトルセグメントの前記電力プロファイルを判断するための前記手段が、低雑音増幅器のための利得状態を設定する、Ｃ３４に記載の装置。
［Ｃ４３］  少なくとも１つのプロセッサと、
前記少なくとも１つのプロセッサに結合されたメモリと
を備える、ワイヤレス通信のための装置であって、
ここで前記少なくとも１つのプロセッサは、
複数の時間間隔中の受信無線周波数信号の周波数スペクトルセグメントの電力プロファイルを判断することと、ここで周波数スペクトルセグメントの電力プロファイルが、前記周波数スペクトルセグメントのエネルギーと、前記周波数スペクトルセグメント中の前記周波数にわたる前記エネルギーの分布とによって特徴づけられる；
各時間間隔について周波数スペクトルセグメントの第１のリストを生成することと、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成することと、前記第２のリストが、雑音フロアに関係するしきい値エネルギーよりも大きい総エネルギーまたは平均エネルギーを有する前記各時間間隔中の周波数スペクトルセグメントを識別する；
前記第１および第２のリスト中で識別された前記周波数スペクトルセグメントに基づいて、ワイヤレス通信システムのダウンリンク周波数を判断することと
を行うように構成された、装置。
［Ｃ４４］  プログラムコードを記録した非一時的コンピュータ可読媒体を備える、コンピュータプログラム製品であって、前記プログラムコードは、
複数の時間間隔中の受信無線周波数信号の周波数スペクトルセグメントの電力プロファイルを判断すること
をコンピュータに行わせるプログラムコードと、ここで周波数スペクトルセグメントの電力プロファイルが、前記周波数スペクトルセグメントのエネルギーと、前記周波数スペクトルセグメント中の前記周波数にわたる前記エネルギーの分布とによって特徴づけられる；
各時間間隔について周波数スペクトルセグメントの第１のリストを生成すること
をコンピュータに行わせるプログラムコードと、前記第１のリストが、ダウンリンク信号の電力プロファイルに一致するエネルギー分布を有する、前記各時間間隔中の周波数スペクトルセグメントを識別する；
各時間間隔について周波数スペクトルセグメントの第２のリストを生成すること
をコンピュータに行わせるプログラムコードと、前記第２のリストが、雑音フロアに関係するしきい値エネルギーよりも大きい総エネルギーまたは平均エネルギーを有する前記各時間間隔中の周波数スペクトルセグメントを識別する；
前記第１および第２のリスト中で識別された前記周波数スペクトルセグメントに基づいて、ワイヤレス通信システムのダウンリンク周波数を判断すること
をコンピュータに行わせるプログラムコードと
を含む、コンピュータプログラム製品。
【図１】
0006339026.tif 000002
【図２】
0006339026.tif 000003
【図３】
0006339026.tif 000004
【図４】
0006339026.tif 000005
【図５】
0006339026.tif 000006
【図６】
0006339026.tif 000007
【図７】
0006339026.tif 000008
【図８】
0006339026.tif 000009
【図９】
0006339026.tif 000010
【図１０】
0006339026.tif 000011
【図１１】
0006339026.tif 000012
【図１２】
0006339026.tif 000013
【図１３】
0006339026.tif 000014